(57)【特許請求の範囲】
【請求項１】
自装置の電話番号を自装置識別用電話番号として格納する自装置電話番号格納手段と、
他の通信装置からの着信を検知する着信検知手段と、
この着信検知手段が着信を検知したとき、前記他の通信装置に対して自装置に発信を行った際の発信先電話番号の送信を要求する発信先電話番号要求手段と、
この発信先電話番号要求手段の要求に応じて前記他の通信装置が発信先電話番号を通知してきたときこれを受信する発信先電話番号受信手段と、
この発信先電話番号受信手段の受信した発信先電話番号が前記自装置電話番号格納手段に格納されている自装置識別用電話番号と一致するか否かを判別する電話番号一致有無判別手段と、
この電話番号一致有無判別手段が電話番号の一致を判別しなかったとき前記自装置電話番号格納手段に格納されている自装置識別用電話番号の正否の確認を要求する電話番号確認要求手段
とを具備することを特徴とする通信装置。
【請求項２】
自装置の電話番号を自装置識別用電話番号として格納する自装置電話番号格納手段と、
他の通信装置からの着信を検知する着信検知手段と、
この着信検知手段が着信を検知したとき、前記他の通信装置に対して自装置に発信を行った際の発信先電話番号の送信を要求する発信先電話番号要求手段と、
この発信先電話番号要求手段の要求に応じて前記他の通信装置が発信先電話番号を通知してきたときこれを受信する発信先電話番号受信手段と、
この発信先電話番号受信手段の受信した発信先電話番号が前記自装置電話番号格納手段に格納されている自装置識別用電話番号と一致するか否かを判別する電話番号一致有無判別手段と、
この電話番号一致有無判別手段が電話番号の一致を判別しなかったとき前記他の通信装置が通知してきた前記発信先電話番号を前記自装置電話番号格納手段に格納する自装置電話番号の候補として表示する自装置電話番号候補表示手段と、
この自装置電話番号候補表示手段の表示した自装置電話番号の候補を自装置電話番号として承認する可否の入力を受け付ける自装置電話番号承認可否受付手段と、
この自装置電話番号承認可否受付手段が承認を受け付けたとき前記発信先電話番号を前記自装置電話番号格納手段に自装置識別用電話番号として上書きする自装置識別用電話番号上書き手段
とを具備することを特徴とする通信装置。
【請求項３】
自装置の電話番号を自装置識別用電話番号として格納する自装置電話番号格納手段と、
他の通信装置からの着信を検知する着信検知手段と、
この着信検知手段が着信を検知したとき、前記他の通信装置に対して自装置に発信を行った際の発信先電話番号の送信を要求する発信先電話番号要求手段と、
この発信先電話番号要求手段の要求に応じて前記他の通信装置が発信先電話番号を通知してきたときこれを受信する発信先電話番号受信手段と、
この発信先電話番号受信手段の受信した発信先電話番号が前記自装置電話番号格納手段に格納されている自装置識別用電話番号と一致するか否かを判別する電話番号一致有無判別手段と、
この電話番号一致有無判別手段が電話番号の一致を判別しなかったとき前記他の通信装置が通知してきた前記発信先電話番号を前記自装置電話番号格納手段に自装置識別用電話番号として上書きする自装置識別用電話番号上書き手段
とを具備することを特徴とする通信装置。
【請求項４】
発信先の通信装置の電話番号を発信先電話番号として格納する発信先電話番号格納手段と、前記発信先の通信装置に前記発信先電話番号を使用して発呼する発信手段と、この発信手段の発信によって着信した前記発信先の通信装置から前記発信先電話番号の通知が要求されたとき前記発信先電話番号格納手段からこれを読み出してこれを送信する発信先電話番号送信手段とを備えた発信側通信装置と、
自装置の電話番号を自装置識別用電話番号として格納する自装置電話番号格納手段と、前記発信側通信装置からの着信を検知する着信検知手段と、この着信検知手段が着信を検知したとき、前記発信側通信装置に対して自装置に発信を行った際の前記発信先電話番号の送信を要求する発信先電話番号要求手段と、この発信先電話番号要求手段の要求に応じて前記発信側通信装置が前記発信先電話番号を通知してきたときこれを受信する発信先電話番号受信手段と、この発信先電話番号受信手段の受信した前記発信先電話番号が前記自装置電話番号格納手段に格納されている自装置識別用電話番号と一致するか否かを判別する電話番号一致有無判別手段と、この電話番号一致有無判別手段が電話番号の一致を判別しなかったとき前記自装置電話番号格納手段に格納されている自装置識別用電話番号の正否の確認を要求する電話番号確認要求手段とを備えた受信側通信装置
とを具備することを特徴とする通信システム。
【請求項５】
発信先の通信装置の電話番号を発信先電話番号として格納する発信先電話番号格納手段と、前記発信先の通信装置に前記発信先電話番号を使用して発呼する発信手段と、この発信手段の発信によって着信した前記発信先の通信装置から前記発信先電話番号の通知が要求されたとき前記発信先電話番号格納手段からこれを読み出してこれを送信する発信先電話番号送信手段とを備えた発信側通信装置と、
自装置の電話番号を自装置識別用電話番号として格納する自装置電話番号格納手段と、前記発信側通信装置からの着信を検知する着信検知手段と、この着信検知手段が着信を検知したとき、前記発信側通信装置に対して自装置に発信を行った際の前記発信先電話番号の送信を要求する発信先電話番号要求手段と、この発信先電話番号要求手段の要求に応じて前記発信側通信装置が前記発信先電話番号を通知してきたときこれを受信する発信先電話番号受信手段と、この発信先電話番号受信手段の受信した前記発信先電話番号が前記自装置電話番号格納手段に格納されている自装置識別用電話番号と一致するか否かを判別する電話番号一致有無判別手段と、この電話番号一致有無判別手段が電話番号の一致を判別しなかったとき前記発信側通信装置が通知してきた前記発信先電話番号を前記自装置電話番号格納手段に格納する自装置電話番号の候補として表示する自装置電話番号候補表示手段と、この自装置電話番号候補表示手段の表示した自装置電話番号の候補を自装置電話番号として承認する可否の入力を受け付ける自装置電話番号承認可否受付手段と、この自装置電話番号承認可否受付手段が承認を受け付けたとき前記発信先電話番号を前記自装置電話番号格納手段に自装置識別用電話番号として上書きする自装置識別用電話番号上書き手段とを備えた受信側通信装置
とを具備することを特徴とする通信システム。
【請求項６】
他の通信装置からの着信を検知する着信検知ステップと、
この着信検知ステップで着信を検知したとき、前記他の通信装置に対して自装置に発信を行った際の発信先電話番号の送信を要求する発信先電話番号要求ステップと、
この発信先電話番号要求ステップでの要求に応じて前記他の通信装置が発信先電話番号を通知してきたときこれを受信する発信先電話番号受信ステップと、
この発信先電話番号受信ステップで受信した発信先電話番号が、自装置の電話番号を自装置識別用電話番号として所定の自装置電話番号格納手段に予め格納する自装置識別用電話番号と一致するか否かを判別する電話番号一致有無判別ステップと、
この電話番号一致有無判別ステップで電話番号の一致を判別しなかったとき前記自装置電話番号格納手段に格納している自装置識別用電話番号の正否の確認結果の入力を要求する確認結果入力要求ステップと、
この確認結果要求入力ステップにおける前記要求に応じて自装置識別用電話番号が正しくないことに応じた確認結果が入力された場合に、正しい自装置識別用電話番号の入力をその登録のために受け付ける自装置識別用電話番号受付ステップ
とを具備することを特徴とする自端末識別情報登録方法。
【請求項７】
他の通信装置からの着信を検知する着信検知ステップと、
この着信検知ステップで着信を検知したとき、前記他の通信装置に対して自装置に発信を行った際の発信先電話番号の送信を要求する発信先電話番号要求ステップと、
この発信先電話番号要求ステップでの要求に応じて前記他の通信装置が発信先電話番号を通知してきたときこれを受信する発信先電話番号受信ステップと、
この発信先電話番号受信ステップで受信した発信先電話番号が、自装置の電話番号を自装置識別用電話番号として所定の自装置電話番号格納手段に予め格納する自装置識別用電話番号と一致するか否かを判別する電話番号一致有無判別ステップと、
この電話番号一致有無判別ステップで電話番号の一致を判別しなかったとき前記他の通信装置が通知してきた前記発信先電話番号を前記自装置電話番号格納手段に格納する自装置電話番号の候補として表示する自装置電話番号候補表示ステップと、
この自装置電話番号候補表示ステップで表示した自装置電話番号の候補を自装置電話番号として承認する可否の入力を受け付ける自装置電話番号承認可否受付ステップと、
この自装置電話番号承認可否受付ステップで承認を受け付けたとき前記発信先電話番号を前記自装置電話番号格納手段に自装置識別用電話番号として上書きして登録する自装置識別用電話番号登録ステップ
とを具備することを特徴とする自端末識別情報登録方法。
【請求項８】
他の通信装置からの着信を検知する着信検知ステップと、
この着信検知ステップで着信を検知したとき、前記他の通信装置に対して自装置に発信を行った際の発信先電話番号の送信を要求する発信先電話番号要求ステップと、
この発信先電話番号要求ステップでの要求に応じて前記他の通信装置が発信先電話番号を通知してきたときこれを受信する発信先電話番号受信ステップと、
この発信先電話番号受信ステップで受信した発信先電話番号が、自装置の電話番号を自装置識別用電話番号として所定の自装置電話番号格納手段に予め格納する自装置識別用電話番号と一致するか否かを判別する電話番号一致有無判別ステップと、
この電話番号一致有無判別ステップで電話番号の一致を判別しなかったとき前記他の通信装置が通知してきた前記発信先電話番号を前記自装置電話番号格納手段に自装置識別用電話番号として上書きして登録する自装置識別用電話番号登録ステップ
とを具備することを特徴とする自端末識別情報登録方法。
【請求項９】
コンピュータに、
他の通信装置からの着信を検知する着信検知処理と、
この着信検知処理で着信を検知したとき、前記他の通信装置に対して自装置に発信を行った際の発信先電話番号の送信を要求する発信先電話番号要求処理と、
この発信先電話番号要求処理での要求に応じて前記他の通信装置が発信先電話番号を通知してきたときこれを受信する発信先電話番号受信処理と、
この発信先電話番号受信処理で受信した発信先電話番号が、自装置の電話番号を自装置識別用電話番号として所定の自装置電話番号格納手段に予め格納する自装置識別用電話番号と一致するか否かを判別する電話番号一致有無判別処理と、
この電話番号一致有無判別処理で電話番号の一致を判別しなかったとき前記自装置電話番号格納手段に格納している自装置識別用電話番号の正否の確認結果の入力を要求する確認結果入力要求処理と、
この確認結果要求入力処理における前記要求に応じて自装置識別用電話番号が正しくないことに応じた確認結果が入力された場合に、正しい自装置識別用電話番号の入力をその登録のために受け付ける自装置識別用電話番号受付処理
とを実行させることを特徴とする自端末識別情報登録プログラム。
【請求項１０】
コンピュータに、
他の通信装置からの着信を検知する着信検知処理と、
この着信検知処理で着信を検知したとき、前記他の通信装置に対して自装置に発信を行った際の発信先電話番号の送信を要求する発信先電話番号要求処理と、
この発信先電話番号要求処理での要求に応じて前記他の通信装置が発信先電話番号を通知してきたときこれを受信する発信先電話番号受信処理と、
この発信先電話番号受信処理で受信した発信先電話番号が、自装置の電話番号を自装置識別用電話番号として所定の自装置電話番号格納手段に予め格納する自装置識別用電話番号と一致するか否かを判別する電話番号一致有無判別処理と、
この電話番号一致有無判別処理で電話番号の一致を判別しなかったとき前記他の通信装置が通知してきた前記発信先電話番号を前記自装置電話番号格納手段に格納する自装置電話番号の候補として表示する自装置電話番号候補表示処理と、
この自装置電話番号候補表示処理で表示した自装置電話番号の候補を自装置電話番号として承認する可否の入力を受け付ける自装置電話番号承認可否受付処理と、
この自装置電話番号承認可否受付処理で承認を受け付けたとき前記発信先電話番号を前記自装置電話番号格納手段に自装置識別用電話番号として上書きして登録する自装置識別用電話番号登録処理
とを実行させることを特徴とする自端末識別情報登録プログラム。
【発明の詳細な説明】
【技術分野】
【０００１】
本発明は、通信装置、通信システム、自端末識別情報登録方法およびプログラムに係わり、特にファクシミリ装置等の通信装置、これら通信装置による通信システム、通信装置の識別情報を登録する自端末識別情報登録方法および自端末識別情報登録プログラムに関する。
【背景技術】
【０００２】
ファクシミリ装置ノイズそれぞれに自端末の電話番号を自端末識別情報として登録しておいて、これらの自端末識別情報をファクシミリ送信の際に使用することで、誤送信を防止するようにする技術が注目されている。たとえば、送信側のファクシミリ装置が受信側のファクシミリ装置に接続した段階で、この受信側のファクシミリ装置の電話番号を取得して送信側でチェックするようにすれば、間違った相手先に送信する事故を防止することができる。
【０００３】
また、各ファクシミリ装置が自端末識別情報をそれぞれ登録していれば、ファクシミリ受信時に送信側のファクシミリ装置の自端末識別情報を取得して、これが予め登録した受信可能なファクシミリ装置の自端末識別情報のいずれかに該当するものでなければ受信を拒否することもできる。もちろん、自端末識別情報を登録していないファクシミリ装置からの受信を拒否することもできる。
【０００４】
ファクシミリ装置同士のこのような付加的なサービスを幅広く実現するためには、各自の使用するファクシミリ装置に自端末識別情報を登録しておくことが必要である。
【０００５】
そこで本発明に関連する第１の関連技術として、自分の使用するファクシミリ装置が自端末識別情報の登録をまだ行っていないとき、これを警告するようにする技術が提案されている（たとえば特許文献１参照）。この第１の関連技術では、ファクシミリ装置に自端末識別情報を登録するメモリ領域を予め用意しておく。ファクシミリ装置は、ファクシミリ送信の指示があったときにそのメモリ領域にアクセスして、自端末識別情報が登録済みであるかを判別する。この結果、登録済みであればファクシミリ送信を開始するが、登録済みでない場合にはエラーメッセージを表示して、ユーザに自端末識別情報の登録を促す。
【０００６】
この第１の関連技術によれば、ファクシミリ装置を購入したばかりのユーザが自端末識別情報の登録を忘れてファクシミリ送信を開始しようとすると、送信ができずエラーメッセージが表示され、登録が指示される。したがって、ファクシミリ送信を行う最初の時点から、自端末識別情報を登録することになる。
【０００７】
ところが、第１の関連技術では、自端末の電話番号を自端末識別情報として登録することが指示された場合に、取扱に熟達していないユーザが間違った情報を代わりに登録してしまう場合がある。また、自端末識別情報が正しく登録されていたファクシミリ装置であっても、これを他人から譲り受けて自分の取得した他の電話番号の回線に接続して使用する場合もある。
【０００８】
後者の場合、自端末識別情報を登録するメモリ領域には、ファクシミリ装置を譲った他人が登録した電話番号が自端末識別情報として登録されている。したがって、譲り受けたユーザが使用を開始したときにエラーメッセージが表示されることはない。このため、第１の関連技術を使用すると、ユーザは譲り受けたファクシミリ装置を直ちに使用することができる。
【０００９】
しかしながら、ユーザは譲り受けたファクシミリ装置の譲り受け後の正しい電話番号を自端末識別情報として登録しているわけではない。このため、このファクシミリ装置と通信を行う他のファクシミリ装置との間で前記した付加的なサービスを実現することができず、受信を拒否されるという問題も発生する。
【００１０】
そこで、自端末識別情報として正しい情報をファクシミリ装置に登録する技術が本発明の第２の関連技術として提案されている（たとえば特許文献２参照）。この第２の関連技術でファクシミリ装置を購入したユーザは、まず、サービスセンタのファクシミリ装置にテストチャートの画像を送信するように取り決められている。
【００１１】
サービスセンタのファクシミリ装置は、このファクシミリ装置と通信を行う際に交換機からその発信側の電話番号を番号通知情報として取得する。そしてこの電話番号を自装置の所定のメモリ領域に格納しておき、テストチャートの受信が終了したら、格納した電話番号を送信側のファクシミリ装置に対してＮＳＣ（非標準機能命令）信号に組み入れて返送する。送信側のファクシミリ装置はこの受信したＮＳＣ信号から自装置の電話番号を抽出して自端末識別情報として自動的に登録する。
【先行技術文献】
【特許文献】
【００１２】
【特許文献１】特開２００７−１１０４７４号公報（第００４５段落、図２）
【特許文献２】特開２００７−１１６３５２号公報（第００６１段落〜第００６９段落、図３）
【発明の概要】
【発明が解決しようとする課題】
【００１３】
この第２の関連技術によれば、交換機が発信元として把握した送信側のファクシミリ装置の電話番号をサービスセンタのファクシミリ装置が番号通知情報として取得し所定のメモリ領域に格納する。したがって、送信側のファクシミリ装置がサービスセンタのファクシミリ装置から送られてきたＮＳＣ信号から番号通知情報としての電話番号を取り出して自端末識別情報として登録すれば、そのファクシミリ装置の正しい電話番号が自端末識別情報として自動的に初期設定されることになる。
【００１４】
しかしながら、この第２の関連技術では、自端末識別情報を初期設定した後にそのファクシミリ装置を電話番号の異なる地域に移動させて使用しようとすると問題が発生する。元の地域で設定した自端末識別情報が、移動後の電話番号と異なる「間違った電話番号」としてそのまま使用されることになるからである。
【００１５】
すなわち、このファクシミリ装置から他のファクシミリ装置にファクシミリ通信を行おうとしても自装置の現在の電話番号とは異なる電話番号が自端末識別情報として相手先のファクシミリ装置に通知される。したがって、受信を拒否されるという事態が発生する可能性がある。もちろん、ファクシミリ装置を購入した後に一度もサービスセンタのファクシミリ装置にテストチャートを送信していない場合にも、初期設定が行われないので、同様の問題が発生するおそれがある。
【００１６】
このような問題の発生を防止するためには、ファクシミリ装置を新規に購入した際や新しい電話番号で使用する際に、ユーザは必ずサービスセンタのファクシミリ装置にテストチャートを送信する処理を実行する必要がある。しかしながら、これはファクシミリ装置のユーザの自主的な行為として期待するしかない。特に、ファクシミリ装置の場所を移転するような場合には、テストチャートで画質を確認する必要性も薄らぐ。したがって、ファクシミリ装置の場所を移転するたびにサービスセンタのファクシミリ装置にテストチャートを送信する処理を、ユーザに期待することは困難である。
【００１７】
更に第２の関連技術では、サービスセンタのファクシミリ装置のような初期設定専用の特別のファクシミリ装置をシステムとして用意する必要がある。しかも、この特別のファクシミリ装置は、テストチャートを送信してきたファクシミリ装置の電話番号をＮＳＣ信号に組み込んで返送するという特別のプログラムあるいは仕掛けを必要とするという問題もある。
【００１８】
以上、専用機としてのファクシミリ装置を例に挙げて従来のファクシミリ通信の問題点を説明した。このような専用機としてのファクシミリ装置以外のファクシミリ機能を備えた各種の装置についても同様の問題がある。本明細書では専用機としてのファクシミリ装置以外のファクシミリ機能を備えた装置もファクシミリ装置と総称して説明を行うことにする。
【００１９】
そこで本発明の目的は、自端末識別情報として登録されている電話番号が正しくない場合あるいは自端末識別情報の登録そのものが行われていない場合に、正しい自端末識別情報の登録をユーザに促すことのできる通信装置、通信システム、自端末識別情報登録方法および自端末識別情報登録プログラムを提供することにある。
【００２０】
本発明の他の目的は、自端末識別情報として登録されている電話番号が正しくない場合あるいは自端末識別情報の登録そのものが行われていない場合に、正しい自端末識別情報の登録を自動的あるいは半自動で行うことのできる通信装置、通信システム、自端末識別情報登録方法および自端末識別情報登録プログラムを提供することにある。
【課題を解決するための手段】
【００２１】
本発明では、（イ）自装置の電話番号を自装置識別用電話番号として格納する自装置電話番号格納手段と、（ロ）他の通信装置からの着信を検知する着信検知手段と、（ハ）この着信検知手段が着信を検知したとき、前記した他の通信装置に対して自装置に発信を行った際の発信先電話番号の送信を要求する発信先電話番号要求手段と、（ニ）この発信先電話番号要求手段の要求に応じて前記した他の通信装置が発信先電話番号を通知してきたときこれを受信する発信先電話番号受信手段と、（ホ）この発信先電話番号受信手段の受信した発信先電話番号が前記した自装置電話番号格納手段に格納されている自装置識別用電話番号と一致するか否かを判別する電話番号一致有無判別手段と、（へ）この電話番号一致有無判別手段が電話番号の一致を判別しなかったとき前記した自装置電話番号格納手段に格納されている自装置識別用電話番号の正否の確認を要求する電話番号確認要求手段とを通信装置が具備する。
【００２２】
また、本発明では、（イ）自装置の電話番号を自装置識別用電話番号として格納する自装置電話番号格納手段と、（ロ）他の通信装置からの着信を検知する着信検知手段と、（ハ）この着信検知手段が着信を検知したとき、前記した他の通信装置に対して自装置に発信を行った際の発信先電話番号の送信を要求する発信先電話番号要求手段と、（ニ）この発信先電話番号要求手段の要求に応じて前記した他の通信装置が発信先電話番号を通知してきたときこれを受信する発信先電話番号受信手段と、（ホ）この発信先電話番号受信手段の受信した発信先電話番号が前記した自装置電話番号格納手段に格納されている自装置識別用電話番号と一致するか否かを判別する電話番号一致有無判別手段と、（へ）この電話番号一致有無判別手段が電話番号の一致を判別しなかったとき前記した他の通信装置が通知してきた前記した発信先電話番号を前記した自装置電話番号格納手段に格納する自装置電話番号の候補として表示する自装置電話番号候補表示手段と、（ト）この自装置電話番号候補表示手段の表示した自装置電話番号の候補を自装置電話番号として承認する可否の入力を受け付ける自装置電話番号承認可否受付手段と、（チ）この自装置電話番号承認可否受付手段が承認を受け付けたとき前記した発信先電話番号を前記した自装置電話番号格納手段に自装置識別用電話番号として上書きする自装置識別用電話番号上書き手段とを通信装置が具備する。
【００２３】
更に本発明では、（イ）自装置の電話番号を自装置識別用電話番号として格納する自装置電話番号格納手段と、（ロ）他の通信装置からの着信を検知する着信検知手段と、（ハ）この着信検知手段が着信を検知したとき、前記した他の通信装置に対して自装置に発信を行った際の発信先電話番号の送信を要求する発信先電話番号要求手段と、（ニ）この発信先電話番号要求手段の要求に応じて前記した他の通信装置が発信先電話番号を通知してきたときこれを受信する発信先電話番号受信手段と、（ホ）この発信先電話番号受信手段の受信した発信先電話番号が前記した自装置電話番号格納手段に格納されている自装置識別用電話番号と一致するか否かを判別する電話番号一致有無判別手段と、（へ）この電話番号一致有無判別手段が電話番号の一致を判別しなかったとき前記した他の通信装置が通知してきた前記した発信先電話番号を前記した自装置電話番号格納手段に自装置識別用電話番号として上書きする自装置識別用電話番号上書き手段とを通信装置が具備する。
【００２４】
更にまた、本発明では、（イ）発信先の通信装置の電話番号を発信先電話番号として格納する発信先電話番号格納手段と、前記した発信先の通信装置に前記した発信先電話番号を使用して発呼する発信手段と、この発信手段の発信によって着信した前記した発信先の通信装置から前記した発信先電話番号の通知が要求されたとき前記した発信先電話番号格納手段からこれを読み出してこれを送信する発信先電話番号送信手段とを備えた発信側通信装置と、（ロ）自装置の電話番号を自装置識別用電話番号として格納する自装置電話番号格納手段と、前記した発信側通信装置からの着信を検知する着信検知手段と、この着信検知手段が着信を検知したとき、前記した発信側通信装置に対して自装置に発信を行った際の前記した発信先電話番号の送信を要求する発信先電話番号要求手段と、この発信先電話番号要求手段の要求に応じて前記した発信側通信装置が前記した発信先電話番号を通知してきたときこれを受信する発信先電話番号受信手段と、この発信先電話番号受信手段の受信した前記した発信先電話番号が前記した自装置電話番号格納手段に格納されている自装置識別用電話番号と一致するか否かを判別する電話番号一致有無判別手段と、この電話番号一致有無判別手段が電話番号の一致を判別しなかったとき前記した自装置電話番号格納手段に格納されている自装置識別用電話番号の正否の確認を要求する電話番号確認要求手段とを備えた受信側通信装置とを通信システムが具備する。
【００２５】
また、本発明では、（イ）発信先の通信装置の電話番号を発信先電話番号として格納する発信先電話番号格納手段と、前記した発信先の通信装置に前記した発信先電話番号を使用して発呼する発信手段と、この発信手段の発信によって着信した前記した発信先の通信装置から前記した発信先電話番号の通知が要求されたとき前記した発信先電話番号格納手段からこれを読み出してこれを送信する発信先電話番号送信手段とを備えた発信側通信装置と、（ロ）自装置の電話番号を自装置識別用電話番号として格納する自装置電話番号格納手段と、前記した発信側通信装置からの着信を検知する着信検知手段と、この着信検知手段が着信を検知したとき、前記した発信側通信装置に対して自装置に発信を行った際の前記した発信先電話番号の送信を要求する発信先電話番号要求手段と、この発信先電話番号要求手段の要求に応じて前記した発信側通信装置が前記した発信先電話番号を通知してきたときこれを受信する発信先電話番号受信手段と、この発信先電話番号受信手段の受信した前記した発信先電話番号が前記した自装置電話番号格納手段に格納されている自装置識別用電話番号と一致するか否かを判別する電話番号一致有無判別手段と、この電話番号一致有無判別手段が電話番号の一致を判別しなかったとき前記した発信側通信装置が通知してきた前記した発信先電話番号を前記した自装置電話番号格納手段に格納する自装置電話番号の候補として表示する自装置電話番号候補表示手段と、この自装置電話番号候補表示手段の表示した自装置電話番号の候補を自装置電話番号として承認する可否の入力を受け付ける自装置電話番号承認可否受付手段と、この自装置電話番号承認可否受付手段が承認を受け付けたとき前記した発信先電話番号を前記した自装置電話番号格納手段に自装置識別用電話番号として上書きする自装置識別用電話番号上書き手段とを備えた受信側通信装置とを通信システムが具備する。
【００２６】
更に本発明では、（イ）他の通信装置からの着信を検知する着信検知ステップと、（ロ）この着信検知ステップで着信を検知したとき、前記した他の通信装置に対して自装置に発信を行った際の発信先電話番号の送信を要求する発信先電話番号要求ステップと、（ハ）この発信先電話番号要求ステップでの要求に応じて前記した他の通信装置が発信先電話番号を通知してきたときこれを受信する発信先電話番号受信ステップと、（ニ）この発信先電話番号受信ステップで受信した発信先電話番号が、自装置の電話番号を自装置識別用電話番号として所定の自装置電話番号格納手段に予め格納する自装置識別用電話番号と一致するか否かを判別する電話番号一致有無判別ステップと、（ホ）この電話番号一致有無判別ステップで電話番号の一致を判別しなかったとき前記した自装置電話番号格納手段に格納している自装置識別用電話番号の正否の確認の入力を待機する電話番号確認入力待機ステップと、（へ）この電話番号確認入力待機ステップで自装置識別用電話番号が正しくないと判別したとき正しい自装置識別用電話番号の入力をその登録のために受け付ける自装置識別用電話番号受付ステップとを自端末識別情報登録方法が具備する。
【００２７】
更にまた、本発明では、（イ）他の通信装置からの着信を検知する着信検知ステップと、（ロ）この着信検知ステップで着信を検知したとき、前記した他の通信装置に対して自装置に発信を行った際の発信先電話番号の送信を要求する発信先電話番号要求ステップと、（ハ）この発信先電話番号要求ステップでの要求に応じて前記した他の通信装置が発信先電話番号を通知してきたときこれを受信する発信先電話番号受信ステップと、（ニ）この発信先電話番号受信ステップで受信した発信先電話番号が、自装置の電話番号を自装置識別用電話番号として所定の自装置電話番号格納手段に予め格納する自装置識別用電話番号と一致するか否かを判別する電話番号一致有無判別ステップと、（ホ）この電話番号一致有無判別ステップで電話番号の一致を判別しなかったとき前記した他の通信装置が通知してきた前記した発信先電話番号を前記した自装置電話番号格納手段に格納する自装置電話番号の候補として表示する自装置電話番号候補表示ステップと、（へ）この自装置電話番号候補表示ステップで表示した自装置電話番号の候補を自装置電話番号として承認する可否の入力を受け付ける自装置電話番号承認可否受付ステップと、（ト）この自装置電話番号承認可否受付ステップで承認を受け付けたとき前記した発信先電話番号を前記した自装置電話番号格納手段に自装置識別用電話番号として上書きして登録する自装置識別用電話番号登録ステップとを自端末識別情報登録方法が具備する。
【００２８】
また、本発明では、（イ）他の通信装置からの着信を検知する着信検知ステップと、（ロ）この着信検知ステップで着信を検知したとき、前記した他の通信装置に対して自装置に発信を行った際の発信先電話番号の送信を要求する発信先電話番号要求ステップと、（ハ）この発信先電話番号要求ステップでの要求に応じて前記した他の通信装置が発信先電話番号を通知してきたときこれを受信する発信先電話番号受信ステップと、（ニ）この発信先電話番号受信ステップで受信した発信先電話番号が、自装置の電話番号を自装置識別用電話番号として所定の自装置電話番号格納手段に予め格納する自装置識別用電話番号と一致するか否かを判別する電話番号一致有無判別ステップと、（ホ）この電話番号一致有無判別ステップで電話番号の一致を判別しなかったとき前記した他の通信装置が通知してきた前記した発信先電話番号を前記した自装置電話番号格納手段に自装置識別用電話番号として上書きして登録する自装置識別用電話番号登録ステップとを自端末識別情報登録方法が具備する。
【００２９】
更に本発明では、コンピュータに、自端末識別情報登録プログラムとして、（イ）他の通信装置からの着信を検知する着信検知処理と、（ロ）この着信検知処理で着信を検知したとき、前記した他の通信装置に対して自装置に発信を行った際の発信先電話番号の送信を要求する発信先電話番号要求処理と、（ハ）この発信先電話番号要求処理での要求に応じて前記した他の通信装置が発信先電話番号を通知してきたときこれを受信する発信先電話番号受信処理と、（ニ）この発信先電話番号受信処理で受信した発信先電話番号が、自装置の電話番号を自装置識別用電話番号として所定の自装置電話番号格納手段に予め格納する自装置識別用電話番号と一致するか否かを判別する電話番号一致有無判別処理と、（ホ）この電話番号一致有無判別処理で電話番号の一致を判別しなかったとき前記した自装置電話番号格納手段に格納している自装置識別用電話番号の正否の確認の入力を待機する電話番号確認入力待機処理と、（へ）この電話番号確認入力待機処理で自装置識別用電話番号が正しくないと判別したとき正しい自装置識別用電話番号の入力をその登録のために受け付ける自装置識別用電話番号受付処理とを実行させることを特徴とする。
【００３０】
更にまた、本発明では、コンピュータに、自端末識別情報登録プログラムとして、（イ）他の通信装置からの着信を検知する着信検知処理と、（ロ）この着信検知処理で着信を検知したとき、前記した他の通信装置に対して自装置に発信を行った際の発信先電話番号の送信を要求する発信先電話番号要求処理と、（ハ）この発信先電話番号要求処理での要求に応じて前記した他の通信装置が発信先電話番号を通知してきたときこれを受信する発信先電話番号受信処理と、（ニ）この発信先電話番号受信処理で受信した発信先電話番号が、自装置の電話番号を自装置識別用電話番号として所定の自装置電話番号格納手段に予め格納する自装置識別用電話番号と一致するか否かを判別する電話番号一致有無判別処理と、（ホ）この電話番号一致有無判別処理で電話番号の一致を判別しなかったとき前記した他の通信装置が通知してきた前記した発信先電話番号を前記した自装置電話番号格納手段に格納する自装置電話番号の候補として表示する自装置電話番号候補表示処理と、（へ）この自装置電話番号候補表示処理で表示した自装置電話番号の候補を自装置電話番号として承認する可否の入力を受け付ける自装置電話番号承認可否受付処理と、（ト）この自装置電話番号承認可否受付処理で承認を受け付けたとき前記した発信先電話番号を前記した自装置電話番号格納手段に自装置識別用電話番号として上書きして登録する自装置識別用電話番号登録処理とを実行させることを特徴とする。
【発明の効果】
【００３１】
以上説明したように本発明によれば、他の通信装置が自装置に実際に掛けた電話番号をその通信装置から通知してもらって、これを自装置の自装置電話番号格納手段に格納した内容と比較している。したがって、自装置電話番号格納手段に現在の自装置の電話番号が正しく格納されているかどうかを交換機に関連データを要求することなく、判別することができ、比較結果が一致しなかったときには自装置識別用電話番号の正否の確認することができる。
【００３２】
また、本発明によれば、他の通信装置が自装置に実際に掛けた電話番号を受信側の通信装置に表示してその内容をユーザが正しい電話番号であると承認すれば、これを自装置電話番号格納手段に正しい電話番号として登録することができる。更に、場合によってはユーザの承認を経ずに自装置電話番号格納手段に正しい電話番号として登録することも可能である。これにより、通信相手の装置識別情報を利用した誤送信防止機能や受信拒否機能を有する通信装置であっても、正常なファクシミリ通信等の通信動作を行うことが可能になる。
【図面の簡単な説明】
【００３３】
【図１】本発明の通信装置のクレーム対応図である。
【図２】本発明の他の通信装置のクレーム対応図である。
【図３】本発明の更に他の通信装置のクレーム対応図である。
【図４】本発明の通信システムのクレーム対応図である。
【図５】本発明の他の通信システムのクレーム対応図である。
【図６】本発明の自端末識別情報登録方法のクレーム対応図である。
【図７】本発明の他の自端末識別情報登録方法のクレーム対応図である。
【図８】本発明の更に他の自端末識別情報登録方法のクレーム対応図である。
【図９】本発明の自端末識別情報登録プログラムのクレーム対応図である。
【図１０】本発明の他の自端末識別情報登録プログラムのクレーム対応図である。
【図１１】本発明の実施の形態における自端末識別情報登録システムの構成の概要を表わしたシステム構成図である。
【図１２】本実施の形態における送信側の第２のファクシミリ装置の処理の様子を表わした流れ図である。
【図１３】本実施の形態における受信側の第１のファクシミリ装置の処理の様子を表わした流れ図である。
【図１４】図１３のステップＳ２２９で確認を促すメッセージが表示された場合における自装置識別情報の更新処理の様子を表わした流れ図である。
【図１５】本発明の変形例における自装置識別情報の設定処理の様子の要部を表わした流れ図である。
【発明を実施するための形態】
【００３４】
図１は、本発明の通信装置のクレーム対応図を示したものである。本発明の通信装置１１００は、自装置電話番号格納手段１１０１と、着信検知手段１１０２と、発信先電話番号要求手段１１０３と、発信先電話番号受信手段１１０４と、電話番号一致有無判別手段１１０５と、電話番号確認要求手段１１０６を備えている。ここで、自装置電話番号格納手段１１０１は、自装置の電話番号を自装置識別用電話番号として格納する。着信検知手段１１０２は、他の通信装置からの着信を検知する。発信先電話番号要求手段１１０３は、着信検知手段１１０２が着信を検知したとき、前記した他の通信装置に対して自装置に発信を行った際の発信先電話番号の送信を要求する。発信先電話番号受信手段１１０４は、発信先電話番号要求手段１１０３の要求に応じて前記した他の通信装置が発信先電話番号を通知してきたときこれを受信する。電話番号一致有無判別手段１１０５は、発信先電話番号受信手段１１０４の受信した発信先電話番号が自装置電話番号格納手段１１０１に格納されている自装置識別用電話番号と一致するか否かを判別する。電話番号確認要求手段１１０６は、電話番号一致有無判別手段１１０５が電話番号の一致を判別しなかったとき自装置電話番号格納手段１１０１に格納されている自装置識別用電話番号の正否の確認を要求する。
【００３５】
図２は、本発明の他の通信装置のクレーム対応図を示したものである。本発明の他の通信装置１２００は、自装置電話番号格納手段１２０１と、着信検知手段１２０２と、発信先電話番号要求手段１２０３と、発信先電話番号受信手段１２０４と、電話番号一致有無判別手段１２０５と、自装置電話番号候補表示手段１２０６と、自装置電話番号承認可否受付手段１２０７と、自装置識別用電話番号上書き手段１２０８を備えている。ここで、自装置電話番号格納手段１２０１は、自装置の電話番号を自装置識別用電話番号として格納する。着信検知手段１２０２は、他の通信装置からの着信を検知する。発信先電話番号要求手段１２０３は、着信検知手段１２０２が着信を検知したとき、前記した他の通信装置に対して自装置に発信を行った際の発信先電話番号の送信を要求する。発信先電話番号受信手段１２０４は、発信先電話番号要求手段１２０３の要求に応じて前記した他の通信装置が発信先電話番号を通知してきたときこれを受信する。電話番号一致有無判別手段１２０５は、発信先電話番号受信手段１２０４の受信した発信先電話番号が自装置電話番号格納手段１２０１に格納されている自装置識別用電話番号と一致するか否かを判別する。自装置電話番号候補表示手段１２０６は、電話番号一致有無判別手段１２０５が電話番号の一致を判別しなかったとき前記した他の通信装置が通知してきた前記した発信先電話番号を自装置電話番号格納手段１２０１に格納する自装置電話番号の候補として表示する。自装置電話番号承認可否受付手段１２０７は、自装置電話番号候補表示手段１２０６の表示した自装置電話番号の候補を自装置電話番号として承認する可否の入力を受け付ける。自装置識別用電話番号上書き手段１２０８は、自装置電話番号承認可否受付手段１２０７が承認を受け付けたとき前記した発信先電話番号を自装置電話番号格納手段１２０１に自装置識別用電話番号として上書きする。
【００３６】
図３は、本発明の更に他の通信装置のクレーム対応図を示したものである。本発明の更に他の通信装置１３００は、自装置電話番号格納手段１３０１と、着信検知手段１３０２と、発信先電話番号要求手段１３０３と、発信先電話番号受信手段１３０４と、電話番号一致有無判別手段１３０５と、自装置識別用電話番号上書き手段１３０６を備えている。ここで、自装置電話番号格納手段１３０１は、自装置の電話番号を自装置識別用電話番号として格納する。着信検知手段１３０２は、他の通信装置からの着信を検知する。発信先電話番号要求手段１３０３は、着信検知手段１３０２が着信を検知したとき、前記した他の通信装置に対して自装置に発信を行った際の発信先電話番号の送信を要求する。発信先電話番号受信手段１３０４は、発信先電話番号要求手段１３０３の要求に応じて前記した他の通信装置が発信先電話番号を通知してきたときこれを受信する。電話番号一致有無判別手段１３０５は、発信先電話番号受信手段１３０４の受信した発信先電話番号が自装置電話番号格納手段１３０１に格納されている自装置識別用電話番号と一致するか否かを判別する。自装置識別用電話番号上書き手段１３０６は、電話番号一致有無判別手段１３０５が電話番号の一致を判別しなかったとき前記した他の通信装置が通知してきた前記した発信先電話番号を自装置電話番号格納手段１３０１に自装置識別用電話番号として上書きする。
【００３７】
図４は、本発明の通信システムのクレーム対応図を示したものである。本発明の通信システム１４００は、発信側通信装置１４０１と、受信側通信装置１４０２を備えている。ここで、発信側通信装置１４０１は、発信先電話番号格納手段１４０１ａと、発信手段１４０１ｂと、発信先電話番号送信手段１４０１ｃを備えている。発信先電話番号格納手段１４０１ａは、発信先の通信装置の電話番号を発信先電話番号として格納する。発信手段１４０１ｂは、前記した発信先の通信装置に前記した発信先電話番号を使用して発呼する。発信先電話番号送信手段１４０１ｃは、発信手段１４０１ｂの発信によって着信した前記した発信先の通信装置から前記した発信先電話番号の通知が要求されたとき発信先電話番号格納手段１４０１ａからこれを読み出してこれを送信する。受信側通信装置１４０２は、自装置電話番号格納手段１４０２ａと、着信検知手段１４０２ｂと、発信先電話番号要求手段１４０２ｃと、発信先電話番号受信手段１４０２ｄと、電話番号一致有無判別手段１４０２ｅと、電話番号確認要求手段１４０２ｆとを備えている。ここで、自装置電話番号格納手段１４０２ａは、自装置の電話番号を自装置識別用電話番号として格納する。着信検知手段１４０２ｂは、発信側通信装置１４０１からの着信を検知する。発信先電話番号要求手段１４０２ｃは、着信検知手段１４０２ｂが着信を検知したとき、発信側通信装置１４０１に対して自装置に発信を行った際の前記した発信先電話番号の送信を要求する。発信先電話番号受信手段１４０２ｄは、発信先電話番号要求手段１４０２ｃの要求に応じて発信側通信装置１４０１が前記した発信先電話番号を通知してきたときこれを受信する。電話番号一致有無判別手段１４０２ｅは、発信先電話番号受信手段１４０２ｄの受信した前記した発信先電話番号が自装置電話番号格納手段１４０２ａに格納されている自装置識別用電話番号と一致するか否かを判別する。電話番号確認要求手段１４０２ｆは、電話番号一致有無判別手段１４０２ｅが電話番号の一致を判別しなかったとき自装置電話番号格納手段１４０２ａに格納されている自装置識別用電話番号の正否の確認を要求する。
【００３８】
図５は、本発明の他の通信システムのクレーム対応図を示したものである。本発明の他の通信システム１５００は、発信側通信装置１５０１と、受信側通信装置１５０２を備えている。ここで、発信側通信装置１５０１は、発信先電話番号格納手段１５０１ａと、発信手段１５０１ｂと、発信先電話番号送信手段１５０１ｃを備えている。ここで発信先電話番号格納手段１５０１ａは、発信先の通信装置の電話番号を発信先電話番号として格納する。発信手段１５０１ｂは、前記した発信先の通信装置に前記した発信先電話番号を使用して発呼する。発信先電話番号送信手段１５０１ｃは、発信手段１５０１ｂの発信によって着信した前記した発信先の通信装置から前記した発信先電話番号の通知が要求されたとき発信先電話番号格納手段１５０１ａからこれを読み出してこれを送信する。受信側通信装置１５０２は、自装置電話番号格納手段１５０２ａと着信検知手段１５０２ｂと、発信先電話番号要求手段１５０２ｃと、発信先電話番号受信手段１５０２ｄと、電話番号一致有無判別手段１５０２ｅと、自装置電話番号候補表示手段１５０２ｆと、自装置電話番号承認可否受付手段１５０２ｇと、自装置識別用電話番号上書き手段１５０２ｈを備えている。ここで、自装置電話番号格納手段１５０２ａは、自装置の電話番号を自装置識別用電話番号として格納する。着信検知手段１５０２ｂは、発信側通信装置１５０１からの着信を検知する。発信先電話番号要求手段１５０２ｃは、着信検知手段１５０２ｂが着信を検知したとき、発信側通信装置１５０１に対して自装置に発信を行った際の前記した発信先電話番号の送信を要求する。発信先電話番号受信手段１５０２ｄは、発信先電話番号要求手段１５０２ｃの要求に応じて発信側通信装置１５０１が前記した発信先電話番号を通知してきたときこれを受信する。電話番号一致有無判別手段１５０２ｅは、発信先電話番号受信手段１５０２ｄの受信した前記した発信先電話番号が自装置電話番号格納手段１５０２ａに格納されている自装置識別用電話番号と一致するか否かを判別する。自装置電話番号候補表示手段１５０２ｆは、電話番号一致有無判別手段１５０２ｅが電話番号の一致を判別しなかったとき発信側通信装置１５０１が通知してきた前記した発信先電話番号を自装置電話番号格納手段１５０１ａに格納する自装置電話番号の候補として表示する。自装置電話番号承認可否受付手段１５０２ｇは、自装置電話番号候補表示手段１５０２ｆの表示した自装置電話番号の候補を自装置電話番号として承認する可否の入力を受け付ける。自装置識別用電話番号上書き手段１５０２ｈは、自装置電話番号承認可否受付手段１５０２ｇが承認を受け付けたとき前記した発信先電話番号を自装置電話番号格納手段１５０２ａに自装置識別用電話番号として上書きする。
【００３９】
図６は、本発明の自端末識別情報登録方法のクレーム対応図を示したものである。本発明の自端末識別情報登録方法１６００は、着信検知ステップ１６０１と、発信先電話番号要求ステップ１６０２と、発信先電話番号受信ステップ１６０３と、電話番号一致有無判別ステップ１６０４と、電話番号確認入力待機ステップ１６０５と、自装置識別用電話番号受付ステップ１６０６を備えている。ここで、着信検知ステップ１６０１は、他の通信装置からの着信を検知する。発信先電話番号要求ステップ１６０２は、着信検知ステップ１６０１で着信を検知したとき、前記した他の通信装置に対して自装置に発信を行った際の発信先電話番号の送信を要求する。発信先電話番号受信ステップ１６０３は、発信先電話番号要求ステップ１６０２での要求に応じて前記した他の通信装置が発信先電話番号を通知してきたときこれを受信する。電話番号一致有無判別ステップ１６０４は、発信先電話番号受信ステップ１６０３で受信した発信先電話番号が、自装置の電話番号を自装置識別用電話番号として所定の自装置電話番号格納手段に予め格納する自装置識別用電話番号と一致するか否かを判別する。電話番号確認入力待機ステップ１６０５は、電話番号一致有無判別ステップ１６０４で電話番号の一致を判別しなかったとき前記した自装置電話番号格納手段に格納している自装置識別用電話番号の正否の確認の入力を待機する。自装置識別用電話番号受付ステップ１６０６は、電話番号確認入力待機ステップ１６０５で自装置識別用電話番号が正しくないと判別したとき正しい自装置識別用電話番号の入力をその登録のために受け付ける。
【００４０】
図７は、本発明の他の自端末識別情報登録方法のクレーム対応図を示したものである。本発明の他の自端末識別情報登録方法１７００は、着信検知ステップ１７０１と、発信先電話番号要求ステップ１７０２と、発信先電話番号受信ステップ１７０３と、電話番号一致有無判別ステップ１７０４と、自装置電話番号候補表示ステップ１７０５と、自装置電話番号承認可否受付ステップ１７０６と、自装置識別用電話番号登録ステップ１７０７を備えている。ここで、着信検知ステップ１７０１では、他の通信装置からの着信を検知する。発信先電話番号要求ステップ１７０２では、着信検知ステップ１７０１で着信を検知したとき、前記した他の通信装置に対して自装置に発信を行った際の発信先電話番号の送信を要求する。発信先電話番号受信ステップ１７０３では、発信先電話番号要求ステップ１７０２での要求に応じて前記した他の通信装置が発信先電話番号を通知してきたときこれを受信する。電話番号一致有無判別ステップ１７０４では、発信先電話番号受信ステップ１７０３で受信した発信先電話番号が、自装置の電話番号を自装置識別用電話番号として所定の自装置電話番号格納手段に予め格納する自装置識別用電話番号と一致するか否かを判別する。自装置電話番号候補表示ステップ１７０５では、電話番号一致有無判別ステップ１７０４で電話番号の一致を判別しなかったとき前記した他の通信装置が通知してきた前記した発信先電話番号を前記した自装置電話番号格納手段に格納する自装置電話番号の候補として表示する。自装置電話番号承認可否受付ステップ１７０６では、自装置電話番号候補表示ステップ１７０５で表示した自装置電話番号の候補を自装置電話番号として承認する可否の入力を受け付ける。自装置識別用電話番号登録ステップ１７０７では、自装置電話番号承認可否受付ステップ１７０６で承認を受け付けたとき前記した発信先電話番号を前記した自装置電話番号格納手段に自装置識別用電話番号として上書きして登録する。
【００４１】
図８は、本発明の更に他の自端末識別情報登録方法のクレーム対応図を示したものである。本発明の更に他の自端末識別情報登録方法１８００は、着信検知ステップ１８０１と、発信先電話番号要求ステップ１８０２と、発信先電話番号受信ステップ１８０３と、電話番号一致有無判別ステップ１８０４と、自装置識別用電話番号登録ステップ１８０５を備えている。ここで、着信検知ステップ１８０１では、他の通信装置からの着信を検知する。発信先電話番号要求ステップ１８０２では、着信検知ステップ１８０１で着信を検知したとき、前記した他の通信装置に対して自装置に発信を行った際の発信先電話番号の送信を要求する。発信先電話番号受信ステップ１８０３では、発信先電話番号要求ステップ１８０２での要求に応じて前記した他の通信装置が発信先電話番号を通知してきたときこれを受信する。電話番号一致有無判別ステップ１８０４では、発信先電話番号受信ステップ１８０３で受信した発信先電話番号が、自装置の電話番号を自装置識別用電話番号として所定の自装置電話番号格納手段に予め格納する自装置識別用電話番号と一致するか否かを判別する。自装置識別用電話番号登録ステップ１８０５では、電話番号一致有無判別ステップ１８０４で電話番号の一致を判別しなかったとき前記した他の通信装置が通知してきた前記した発信先電話番号を前記した自装置電話番号格納手段に自装置識別用電話番号として上書きして登録する。
【００４２】
図９は、本発明の自端末識別情報登録プログラムのクレーム対応図を示したものである。本発明の自端末識別情報登録プログラム１９００は、コンピュータに、着信検知処理１９０１と、発信先電話番号要求処理１９０２と、発信先電話番号受信処理１９０３と、電話番号一致有無判別処理１９０４と、電話番号確認入力待機処理１９０５と、自装置識別用電話番号受付処理１９０６を実行させるようにしている。ここで、着信検知処理１９０１では、他の通信装置からの着信を検知する。発信先電話番号要求処理１９０２では、着信検知処理１９０１で着信を検知したとき、前記した他の通信装置に対して自装置に発信を行った際の発信先電話番号の送信を要求する。発信先電話番号受信処理１９０３では、発信先電話番号要求処理１９０２での要求に応じて前記した他の通信装置が発信先電話番号を通知してきたときこれを受信する。電話番号一致有無判別処理１９０４では、発信先電話番号受信処理１９０３で受信した発信先電話番号が、自装置の電話番号を自装置識別用電話番号として所定の自装置電話番号格納手段に予め格納する自装置識別用電話番号と一致するか否かを判別する。電話番号確認入力待機処理１９０５では、電話番号一致有無判別処理１９０４で電話番号の一致を判別しなかったとき前記した自装置電話番号格納手段に格納している自装置識別用電話番号の正否の確認の入力を待機する。自装置識別用電話番号受付処理１９０６では、電話番号確認入力待機処理１９０５で自装置識別用電話番号が正しくないと判別したとき正しい自装置識別用電話番号の入力をその登録のために受け付ける。
【００４３】
図１０は、本発明の他の自端末識別情報登録プログラムのクレーム対応図を示したものである。本発明の他の自端末識別情報登録プログラム２０００は、コンピュータに、着信検知処理２００１と、発信先電話番号要求処理２００２と、発信先電話番号受信処理２００３と、電話番号一致有無判別処理２００４と、自装置電話番号候補表示処理２００５と、自装置電話番号承認可否受付処理２００６と、自装置識別用電話番号登録処理２００７を実行させるようにしている。ここで、着信検知処理２００１では、他の通信装置からの着信を検知する。発信先電話番号要求処理２００２では、着信検知処理２００１で着信を検知したとき、前記した他の通信装置に対して自装置に発信を行った際の発信先電話番号の送信を要求する。発信先電話番号受信処理２００３では、発信先電話番号要求処理２００２での要求に応じて前記した他の通信装置が発信先電話番号を通知してきたときこれを受信する。電話番号一致有無判別処理２００４では、発信先電話番号受信処理２００３で受信した発信先電話番号が、自装置の電話番号を自装置識別用電話番号として所定の自装置電話番号格納手段に予め格納する自装置識別用電話番号と一致するか否かを判別する。自装置電話番号候補表示処理２００５では、電話番号一致有無判別処理２００４で電話番号の一致を判別しなかったとき前記した他の通信装置が通知してきた前記した発信先電話番号を前記した自装置電話番号格納手段に格納する自装置電話番号の候補として表示する。自装置電話番号承認可否受付処理２００６では、自装置電話番号候補表示処理２００５で表示した自装置電話番号の候補を自装置電話番号として承認する可否の入力を受け付ける。自装置識別用電話番号登録処理２００７では、自装置電話番号承認可否受付処理２００６で承認を受け付けたとき前記した発信先電話番号を前記した自装置電話番号格納手段に自装置識別用電話番号として上書きして登録する。
【００４４】
＜発明の実施の形態＞
【００４５】
次に本発明の実施の形態を説明する。
【００４６】
図１１は、本発明の実施の形態による自端末識別情報登録システムの構成の概要を表わしたものである。この自端末識別情報登録システム１００では、自端末識別情報の登録の対象となる第１のファクシミリ装置１０１が、第２のファクシミリ装置１０２と公衆交換電話網（ＰＳＴＮ：Public Switched Telephone Networks）１０３を介してファクシミリ通信を行うことのできるシステム構成となっている。ここで第１および第２のファクシミリ装置１０１、１０２には、自端末識別情報登録システム１００を運用するための特別なアプリケーションプログラムを予め格納するようになっている。
【００４７】
第１のファクシミリ装置１０１は、装置各部を制御すると共に、本実施の形態の自端末識別情報登録システム１００を運用するための特別の制御を可能にするシステム制御部１１１を備えている。このシステム制御部１１１は、マイクロコンピュータによって構成されており、図示しないＣＰＵ（Central Processing Unit）を備えている。
【００４８】
システム制御部１１１は、データバス等のバス１１２を介して第１のファクシミリ装置１０１内の各部と接続している。これらは、通信制御部１１３、ＲＯＭ（Read Only Memory）１１４、ＲＡＭ（Random Access Memory）１１５、モデム１１６、ＮＣＵ（Network Control Unit）１１７、自装置識別情報記憶部１１８、表示部１１９、自動確認モードビット格納部１２０および操作部１２１である。
【００４９】
ここでシステム制御部１１１は、ＲＯＭ１１４に格納された制御プログラムをＣＰＵが実行することによって、ソフトウェア的な機能部を実現させている。これらの機能部は、自端末識別情報としての装置識別情報の送信処理を行う装置識別情報送信処理部１３１、メッセージの表示処理を行うメッセージ表示処理部１３２および装置識別情報の登録処理を行う自装置識別情報登録処理部１３３であり、自装置識別情報の確認処理を行う。装置識別情報送信処理部１３１、メッセージ表示処理部１３２および自装置識別情報登録処理部１３３については、後に詳しく説明する。
【００５０】
通信制御部１１３は、公衆交換電話網１０３を介して通信相手としての第２のファクシミリ装置１０２との間で自装置識別情報の確認やファクシミリ通信のための信号処理を行う。ＲＯＭ１１４は不揮発性のメモリであり、前記した制御プログラムの他に電源がオフとなった状態で保持すべき固定的なデータを格納するようになっている。たとえば、アドレス帳の内容を示すデータは、ＲＯＭ１１４に格納される。ＲＡＭ１１５には、一時的に記憶しておくデータや、システム制御部１１１による演算処理の際に発生するデータを一時的に格納する処理に使用する。
【００５１】
モデム１１６は第１のファクシミリ装置１０１の内部で処理されるディジタル信号を変調して、音声信号として公衆交換電話網１０３に送信したり、公衆交換電話網１０３から送られてきた音声信号を復調する。ＮＣＵ１１７は公衆交換電話網１０３にダイヤル信号を送出する機器であり、モデム１１６に内蔵されている場合も多い。自装置識別情報記憶部１１８は、第１のファクシミリ装置１０１の自装置識別情報としての自装置の電話番号を格納するようになっている。ここには、一般にはＣＳＩ（Container Security Initiative）信号やＴＳＩ（Transmitting Subscriber Identification）信号として使用される自装置識別情報が格納される。自装置識別情報記憶部１１８はＲＯＭ１１４内に構成してもよい。表示部１１９は、液晶ディスプレイあるいは有機ＥＬ（Organic Electro-Luminescence）ディスプレイによって構成され、文字等の視覚的情報を表示する機器である。
【００５２】
自動確認モードビット格納部１２０は、自装置としての第１のファクシミリ装置１０１の自装置識別情報記憶部１１８に格納されている自装置識別情報が正しいかどうかを自動的に確認する自動確認モードを実行することを示す自動確認モードビットを格納するようになっている。この自動確認モードビットが自動確認モードビット格納部１２０に格納されていれば、第１のファクシミリ装置１０１が他のファクシミリ装置からファクシミリ信号を受信する状態で自装置識別情報が正しいかどうかを確認するプログラムが自動的に起動し、確認処理が行われる。自動確認モードビットが自動確認モードビット格納部１２０に格納されていない場合、この確認処理は行われない。第１のファクシミリ装置１０１は、初期的に自動確認モードビットを自動確認モードビット格納部１２０に格納しており、ユーザの設定によりこれをいつでも変更できるようになっている。
【００５３】
操作部１２１は、図示しないテンキーやファンクションキーから構成されており、ユーザが電話番号等の各種入力を行うために用いられる。表示部１１９に図示しないタッチパネルが装着されている場合、ユーザがこれを操作部１２１の全部または一部として用いることもできる。
【００５４】
第２のファクシミリ装置１０２の構成は、第１のファクシミリ装置１０１の構成と同一となっている。そこで、第２のファクシミリ装置１０２の構成の詳細の図示および説明は省略する。
【００５５】
本実施の形態の自端末識別情報登録システム１００では、第１および第２のファクシミリ装置１０１、１０２の通信時に、受信側の自動確認モードビット格納部１２０に自動確認モードビットが格納されているかをチェックする。そして、自動確認モードビットが格納されている場合、受信側のファクシミリ装置では自装置識別情報としての電話番号の設定の誤りの有無を確認する。この結果、受信側のファクシミリ装置の電話番号の設定に誤りがあれば、その装置のユーザにこれを通知するようになっている。
【００５６】
システム制御部１１１は、第１あるいは第２のファクシミリ装置１０１、１０２が送信機として動作するときと、受信機として動作するときではその機能が異なるようになっている。ここでは、第１のファクシミリ装置１０１が画像データを受信する受信機として機能し、第２のファクシミリ装置１０２が画像データを受信する送信機として機能する場合を例に採って説明を行う。すなわち、第１のファクシミリ装置１０１が自装置の自端末識別情報の登録をユーザに促す対象となる。また、第２のファクシミリ装置１０２がこの機能を実現する協力を行う装置である。第２のファクシミリ装置１０２は必ずしもサービスセンタに設置される必要はない。
【００５７】
以下の説明では、システム制御部１１１の送信側と受信側の機能の違いを明らかにするために、受信機としての第１のファクシミリ装置１０１内の各部における部品を表わす数字の後には符号「Ｒ」を付ける。送信機としての第２のファクシミリ装置１０２内の各部における部品を表わす数字の後には符号「Ｓ」を付けることにする。
【００５８】
第１のファクシミリ装置１０１の装置識別情報送信処理部１３１Ｒは、第２のファクシミリ装置１０２の呼接続の要求に対して着呼したとき、自動確認モードビット格納部１２０Ｒをチェックする。第１のファクシミリ装置１０１は、自動確認モードビット格納部１２０Ｒに自動確認モードビットが格納されていれば、これをＮＳＦ（non-standard functions）信号に付加して、第２のファクシミリ装置１０２に送信する。第１のファクシミリ装置１０１は、自動確認モードビット格納部１２０Ｒに自動確認モードビットが格納されていない場合、この空の状態をＮＳＦ信号に付加して第２のファクシミリ装置１０２に送信することになる。
【００５９】
一方、送信側である第２のファクシミリ装置１０２の装置識別情報送信処理部１３１Ｓは、受信側から送られてきたＮＳＦ信号に自動確認モードビットが存在するかをチェックする。この結果、自動確認モードビットが存在しない場合、第２のファクシミリ装置１０２の装置識別情報送信処理部１３１Ｓは、第１のファクシミリ装置１０１側に格納されている自装置識別情報が正しいかどうかを確認させるための特別な処理を行わない。
【００６０】
これに対して、受信側から送られてきたＮＳＦ信号に自動確認モードビットが存在した場合、送信側の第２のファクシミリ装置１０２の装置識別情報送信処理部１３１Ｓは受信側の第１のファクシミリ装置１０１側に格納されている自装置識別情報が正しいかどうかを確認させる特別な処理を行う。この処理では、第２のファクシミリ装置１０２がそのＲＡＭ１１５Ｓに一時的に格納していた第１のファクシミリ装置１０１の宛先を示す電話番号を読み出して、これをＮＳＳ（non-standard set-up）信号にセットして第１のファクシミリ装置１０１に送信する。
【００６１】
次に、第１のファクシミリ装置１０１のシステム制御部１１１Ｒにおけるメッセージ表示処理部１３２Ｒを具体的に説明する。メッセージ表示処理部１３２Ｒは、表示部１１９Ｒに対する一般的な表示制御を行う他、自動確認モードが受信側の第１のファクシミリ装置１０１で実行されたとき第２のファクシミリ装置１０２から送られてくるＮＳＳ信号にセットされた電話番号を、自装置識別情報記憶部１１８Ｒに格納されている自装置識別情報と比較する。その結果、第１のファクシミリ装置１０１は、自装置識別情報としての電話番号がＮＳＳ信号にセットされていた電話番号と一致しなかった場合、自装置識別情報記憶部１１８Ｒに格納されていた自装置識別情報が正しいかどうかの確認を促すメッセージを表示部１１９Ｒに表示するように制御する。この比較処理で、自装置識別情報記憶部１１８Ｒに自装置識別情報がまだ格納されていない状態であった場合にも、電話番号の一致がとれない。したがって、この場合にも確認を促すメッセージが表示部１１９Ｒに表示されることになる。
【００６２】
最後に、第１のファクシミリ装置１０１のシステム制御部１１１Ｒにおける自装置識別情報登録処理部１３３Ｒの処理を具体的に説明する。自装置識別情報登録処理部１３３Ｒは、第１のファクシミリ装置１０１の自装置識別情報記憶部１１８Ｒに自装置の電話番号を自装置識別情報として格納する処理である。この処理は、ユーザが登録の対象となる第１のファクシミリ装置１０１を自装置識別情報登録モードに設定して、操作部１２１Ｒから電話番号を入力することによって行われる。
【００６３】
ただし、受信側の第１のファクシミリ装置１０１の場合には、自装置識別情報としての電話番号がＮＳＳ信号にセットされていた電話番号と一致しないとされた場合に、ＮＳＳ信号にセットされていた電話番号に一致させる旨の操作をユーザが行うことが可能である。この操作を行うと、送信側の第２のファクシミリ装置１０２から送られてきたＮＳＳ信号にセットされていた電話番号が自装置識別情報記憶部１１８Ｒに上書きされる形で登録が更新される。したがって、ユーザは操作部１２１Ｒから電話番号を入力する手間と、入力ミスの発生のおそれをなくすことができる。
【００６４】
次に、第１のファクシミリ装置１０１に対して、第２のファクシミリ装置１０２からファクシミリ信号が送られてくる場合を例に採って、送信側の第２のファクシミリ装置１０２と受信側の第１のファクシミリ装置１０１の処理の様子を具体的に説明する。第１のファクシミリ装置１０１と第２のファクシミリ装置１０２の間で行われる一連の通信は、所定の通信プロトコルを用いて行われるが、ここでは自装置識別情報の取り扱いに関する制御信号のみを説明の対象とすることにする。
【００６５】
図１２は送信側の第２のファクシミリ装置の処理の様子を表わしており、図１３は受信側の第１のファクシミリ装置の処理の様子を表わしている。図１１と共に説明する。
【００６６】
第２のファクシミリ装置１０２は第１のファクシミリ装置１０１を宛先としてその電話番号を入力して発呼処理を行う（図１２ステップＳ２０１）。このとき入力した第１のファクシミリ装置１０１の電話番号は、第２のファクシミリ装置１０２のＲＡＭ１１５Ｓの作業領域に格納しておく。発呼処理を行った後、第２のファクシミリ装置１０２は第１のファクシミリ装置１０１からＮＳＦ信号が送られてくるのを待機する（ステップＳ２０２）。
【００６７】
第２のファクシミリ装置１０２が発呼処理を行うと、公衆交換電話網１０３がダイヤル先の第１のファクシミリ装置１０１の回線を選択し、第１のファクシミリ装置１０１が着信したとする（図１３ステップＳ２２１）。第１のファクシミリ装置１０１の装置識別情報送信処理部１３１Ｒは、着信があったので、自動確認モードビット格納部１２０Ｒの自動確認モードビットを読み取って、これをＮＳＦ信号にセットする（ステップＳ２２２）。第１のファクシミリ装置１０１の初期状態では、自動確認モードビット格納部１２０Ｒに自動確認モードビットが格納されている。装置識別情報送信処理部１３１Ｒは、このＮＳＦ信号を発呼側の第２のファクシミリ装置１０２に送信する（ステップＳ２２３）。
【００６８】
これにより、第２のファクシミリ装置１０２は第１のファクシミリ装置１０１から送られてきたＮＳＦ信号を受信する（図１２ステップＳ２０２：Ｙ）。第２のファクシミリ装置１０２の装置識別情報送信処理部１３１Ｓは、送られてきたＮＳＦ信号に自動確認モードビットが存在するかを判別する（ステップＳ２０３）。
【００６９】
ＮＳＦ信号に自動確認モードビットが存在した場合（ステップＳ２０３：Ｙ）、第１のファクシミリ装置１０１は自装置の自装置識別情報が正しいかどうかを確認することを第２のファクシミリ装置１０２に要求している。そこで第２のファクシミリ装置１０２の装置識別情報送信処理部１３１Ｓは、ステップＳ２０１でＲＡＭ１１５Ｓの作業領域に格納しておいた第１のファクシミリ装置１０１の電話番号をＮＳＳ信号にセットする（ステップＳ２０４）。そして、装置識別情報送信処理部１３１ＳはこのＮＳＳ信号を受信側の第１のファクシミリ装置１０１に送信する（ステップＳ２０５）。
【００７０】
送信側の第２のファクシミリ装置１０２は、これ以後、通常の送信側のファクシミリ装置と同様に画像データの送信処理を実行する（ステップＳ２０６）。ステップＳ２０３でＮＳＦ信号に自動確認モードビットが存在しなかった場合には（Ｎ）、第１のファクシミリ装置１０１が自装置の自装置識別情報の確認を要求していない。そこで、この場合にはＮＳＳ信号の送信処理を行わず、第２のファクシミリ装置１０２は直ちに画像データの送信処理を実行する（ステップＳ２０６）。画像データの送信処理が終了したら、第２のファクシミリ装置１０２は通信切断処理を行って（ステップＳ２０７）、送信側のファクシミリ装置としての処理を終了する（エンド）。
【００７１】
一方、第１のファクシミリ装置１０１では、ステップＳ２２３でＮＳＦ信号を送信した後、第２のファクシミリ装置１０２からＮＳＳ信号が送られてくるのを待機している（ステップＳ２２４）。ＮＳＳ信号が送られてきたら（Ｙ）、第１のファクシミリ装置１０１はこのＮＳＳ信号に電話番号がセットされているかを判別する（ステップＳ２２５）。
【００７２】
ＮＳＳ信号に電話番号がセットされていた場合（Ｙ）、これは第２のファクシミリ装置１０２が受信側のファクシミリ装置に電話を掛ける際に使用した電話番号である。そこでメッセージ表示処理部１３２Ｒは自装置識別情報記憶部１１８Ｒに格納されている自装置識別情報を読み出して（ステップＳ２２６）、この自装置識別情報とＮＳＳ信号にセットされていた電話番号を比較する（ステップＳ２２７）。
【００７３】
この比較結果が不一致であれば（ステップＳ２２８：Ｙ）、メッセージ表示処理部１３２Ｒは自装置識別情報記憶部１１８Ｒに格納されている自装置識別情報が間違っているかどうかの確認を促すメッセージを表示部１１９Ｒに表示する（ステップＳ２２９）。自装置識別情報記憶部１１８Ｒに自装置識別情報をまだ入力していない場合にも、不一致であるとしてステップＳ２２９の表示が行われる。
【００７４】
この後、第２のファクシミリ装置１０２から画像データが送られてくると（ステップＳ２３０：Ｙ）、第１のファクシミリ装置１０１は画像データの受信処理を開始する（ステップＳ２３１）。ステップＳ２２８で自装置識別情報記憶部１１８Ｒに格納されている自装置識別情報とＮＳＳ信号にセットされていた電話番号が一致していると判別された場合には（Ｎ）、直ちに画像データの受信を待機する状態に移行する（ステップＳ２３０）。ステップＳ２２５でＮＳＳ信号に電話番号がセットされていないと判別された場合にも（Ｎ）、直ちに画像データの受信を待機する状態に移行する（ステップＳ２３０）。
【００７５】
画像データの受信がすべて終了したら（ステップＳ２３２：Ｙ）、第１のファクシミリ装置１０１は第２のファクシミリ装置１０２がステップＳ２０７で行ったと同様の通信切断処理を行って（ステップＳ２３３）、受信処理を終了する（エンド）。
【００７６】
図１４は、図１３のステップＳ２２９で確認を促すメッセージが表示された場合における自装置識別情報の更新処理の様子を表わしたものである。この更新処理は、たとえば図１３のステップＳ２３３で示した通信切断処理が終了した時点で、図１１に示した操作部１２１Ｒを使用してユーザが自装置識別情報の更新要求を行ったときに開始する。図１１と共に説明する。
【００７７】
第１のファクシミリ装置１０１のシステム制御部１１１Ｒは、自装置識別情報の更新要求が発生したら（ステップＳ２５１：Ｙ）、表示部１１９Ｒに電話番号入力画面を表示して（ステップＳ２５２）、ユーザに自装置識別情報としての自装置の電話番号の入力を促す。
【００７８】
この状態でユーザが操作部１２１Ｒを使用して電話番号を入力すると、表示部１１９Ｒにその電話番号が表示される。システム制御部１１１Ｒはユーザが操作部１２１Ｒの図示しない「登録」キーあるいは「キャンセル」キーが押下されるのを待機している（ステップＳ２５３、ステップＳ２５４）。
【００７９】
「登録」キーが押された場合には（ステップＳ２５３：Ｙ）、今回入力された電話番号を自装置識別情報記憶部１１８Ｒに上書きして（ステップＳ２５５）、処理を終了する（エンド）。これに対して「キャンセル」キーが押された場合には（ステップＳ２５３：Ｎ、ステップＳ２５４：Ｙ）、ユーザが自装置識別情報の更新を断念したとして、処理を終了することになる（エンド）。
【００８０】
以上説明した実施の形態によれば、ファクシミリ装置の表示部１１９Ｒに自装置識別情報の確認を促すメッセージが表示されるので、自装置識別情報が変更になったような場合に正しい自装置識別情報に訂正することができる。また、自装置識別情報を設定していなかったり、間違った情報として設定していたような場合にも、正しい自装置識別情報を設定することができる。
【００８１】
＜発明の変形可能性＞
【００８２】
図１５は、本発明の変形例における自装置識別情報の設定処理の様子の要部を表わしたものである。図１５で図１３と同一部分には同一のステップ番号を付しており、これらの説明を適宜省略する。図１１と共に説明する。
【００８３】
この変形例では、第１のファクシミリ装置１０１がステップＳ２２５でＮＳＳ信号に電話番号がセットされていると判別したとき（Ｙ）、ＲＡＭ１１５Ｒの所定のフラグ格納領域に電話番号フラグのオン状態を書き込む（ステップＳ３０１）。その後、メッセージ表示処理部１３２Ｒは自装置識別情報記憶部１１８Ｒに格納されている自装置識別情報を読み出して（ステップＳ２２６）、この自装置識別情報とＮＳＳ信号にセットされていた電話番号を比較する（ステップＳ２２７）。
【００８４】
この比較結果が不一致であれば（ステップＳ２２８：Ｙ）、メッセージ表示処理部１３２Ｒは前記したフラグ格納領域に警告フラグのオン状態を書き込む（ステップＳ３０２）。この後、画像データの受信を開始して（ステップＳ２３１：Ｙ）、画像データの受信が終了した後に通信切断処理を行う（ステップＳ２３３）。
【００８５】
このようにして第２のファクシミリ装置１０２から送られてきたファクシミリ信号の受信処理が終了したら、第１のファクシミリ装置１０１はステップＳ３０１で書き込んだ電話番号フラグを読み出して、これがオンであるかを判別する（ステップＳ３０３）。電話番号フラグがオンのとき（Ｙ）、続いてステップＳ３０２で書き込んだ警告フラグを読み出して、これがオンであるかを判別する（ステップＳ３０４）。
【００８６】
警告フラグもオンであった場合（Ｙ）、第１のファクシミリ装置１０１は自装置識別情報についての警告メッセージを出力する（ステップＳ３０５）。この警告メッセージは表示部１１９Ｒに表示するような形態でもよいが、図示しないスピーカから警告音や、「自装置識別情報を確認してください」といったメッセージの音声出力であってもよい。このような警告の形態は、第１のファクシミリ装置１０１の使用環境としてユーザが予め設定することも可能である。
【００８７】
第１のファクシミリ装置１０１は、この警告メッセージの出力を行うと、図１３のステップＳ２２５で判別したＮＳＳ信号にセットされた電話番号を用いて、自装置識別情報の更新案を編集し、これを表示部１１９Ｒに表示する（ステップＳ３０６）。ＮＳＳ信号にセットされた電話番号が０１−２３４−５６７８であったとすると、自装置識別情報の更新案は、一例として次のようなものになる。
【００８８】
「この装置の電話番号は０１−２３４−５６７８でよいですか。承認または拒否キーで選択してください。」
【００８９】
第１のファクシミリ装置１０１は、この後、予め定めた時間ｔ以内にユーザが操作部１２１Ｒの図示しない「承認」キーを押すか、あるいは「拒否」キーを押すかを監視する（ステップＳ３０７〜ステップＳ３０９）。時間ｔが経過する前に（ステップＳ３０９：Ｎ）、「承認」キーが押された場合には（ステップＳ３０７：Ｙ）、ステップＳ３０６で更新案として示した電話番号を自装置識別情報記憶部１１８Ｒに上書きして（ステップＳ３１０）、処理を終了する（エンド）。すなわち、この場合には第２のファクシミリ装置１０２が第１のファクシミリ装置１０１を宛先に使用したときの電話番号が第１のファクシミリ装置１０１の自装置識別情報として自装置識別情報記憶部１１８Ｒに登録されることになる。
【００９０】
一方、時間ｔが経過する前に（ステップＳ３０９：Ｎ）、「拒否」キーが押された場合には（ステップＳ３０７：Ｎ、ステップＳ３０８：Ｙ）、そのまま処理が終了する（エンド）。すなわち、この場合には第１のファクシミリ装置１０１の自装置識別情報記憶部１１８Ｒの登録内容の変更は行われない。ユーザが「承認」キーや「拒否」キーを選択することなく時間ｔが経過した場合（ステップＳ３０７：Ｎ、ステップＳ３０８：Ｎ、ステップＳ３０９：Ｙ）も同様である。
【００９１】
ステップＳ３０４で警告フラグがオフであると判別された場合には（Ｎ）、ステップＳ３０５による警告メッセージを出力することなく、処理が終了する（エンド）。ステップＳ３０３で電話番号フラグがオフであると判別された場合にも（Ｎ）、ステップＳ３０５による警告メッセージを出力することなく、処理が終了する（エンド）。
【００９２】
このように本発明の変形例で電話番号フラグがオフのときにステップＳ３１０で示した電話番号を自装置識別情報記憶部１１８Ｒに上書き処理する選択肢を採用できないようにしたのは、以下の理由による。
【００９３】
この変形例ではＮＳＦ信号やＮＳＳ信号といったオプションで信号内容を変更可能な信号を用いて、送信側の第２のファクシミリ装置１０２が宛先として入力した電話番号を自装置識別情報記憶部１１８Ｒに上書き処理することを可能にしている。ここで、第１のファクシミリ装置１０１がこのための制御プログラムを格納しているのに対して、この制御プログラムを実行する環境にない第３のファクシミリ装置が画像データを送信してきた場合を考える。
【００９４】
第３のファクシミリ装置は図１２のステップＳ２０２でＮＳＦ信号を受信しても、ステップＳ２０３でＮＳＦ信号に自動確認モードビットが存在するかの判別を行わない可能性がある。したがって、第１のファクシミリ装置１０１を送信先とする場合に使用した電話番号をステップＳ２０４でＮＳＳ信号にセットせず、この箇所を「無処理の信号状態」あるいは「独自の信号処理を行った状態」にしてＮＳＳ信号を受信側の第１のファクシミリ装置１０１に送信する可能性がある。
【００９５】
この状態でそのまま処理が進行してステップＳ２３３で通信切断処理が終了し、ステップＳ３０４で警告フラグがオンと判別したとき（Ｙ）に、ステップＳ３０５で警告メッセージを出力するようにしたとする。すると、ステップＳ３０７でユーザが何らかの勘違いで「承認」キーを押したとすると、ステップＳ３１０で、「無処理の信号状態」あるいは「独自の信号処理を行った状態」にしたビット列が自装置識別情報記憶部１１８Ｒに上書きされることになる。このビット列は第１のファクシミリ装置１０１自体の電話番号と異なるので、このような事態の発生は避けなければならない。
【００９６】
この変形例では、ステップＳ２２５で電話番号の検出を確実に行えるようにできれば、ステップＳ３０５〜ステップＳ３０９の処理を省略して、送信側のファクシミリ装置の提示した電話番号を無条件で自装置識別情報記憶部１１８Ｒに上書き処理することも可能になる。たとえば、オプションとされる規格が送受信のファクシミリ装置間で完全に一致していることを条件にするようにしてもよい。
【００９７】
なお、実施の形態および変形例ではＮＳＦ信号やＮＳＳ信号を送受信のファクシミリ装置の通信用として使用したが、必要な信号内容が必要なタイミングで伝送されれば信号の種類や名称はこれらに限定されるものではないことは当然である。
【００９８】
以上説明した実施の形態の一部または全部は、以下の付記のようにも記載されるが、以下の記載に限定されるものではない。
【００９９】
（付記１）
自装置の電話番号を自装置識別用電話番号として格納する自装置電話番号格納手段と、
他の通信装置からの着信を検知する着信検知手段と、
この着信検知手段が着信を検知したとき、前記他の通信装置に対して自装置に発信を行った際の発信先電話番号の送信を要求する発信先電話番号要求手段と、
この発信先電話番号要求手段の要求に応じて前記他の通信装置が発信先電話番号を通知してきたときこれを受信する発信先電話番号受信手段と、
この発信先電話番号受信手段の受信した発信先電話番号が前記自装置電話番号格納手段に格納されている自装置識別用電話番号と一致するか否かを判別する電話番号一致有無判別手段と、
この電話番号一致有無判別手段が電話番号の一致を判別しなかったとき前記自装置電話番号格納手段に格納されている自装置識別用電話番号の正否の確認を要求する電話番号確認要求手段
とを具備することを特徴とする通信装置。
【０１００】
（付記２）
自装置の電話番号を自装置識別用電話番号として格納する自装置電話番号格納手段と、
他の通信装置からの着信を検知する着信検知手段と、
この着信検知手段が着信を検知したとき、前記他の通信装置に対して自装置に発信を行った際の発信先電話番号の送信を要求する発信先電話番号要求手段と、
この発信先電話番号要求手段の要求に応じて前記他の通信装置が発信先電話番号を通知してきたときこれを受信する発信先電話番号受信手段と、
この発信先電話番号受信手段の受信した発信先電話番号が前記自装置電話番号格納手段に格納されている自装置識別用電話番号と一致するか否かを判別する電話番号一致有無判別手段と、
この電話番号一致有無判別手段が電話番号の一致を判別しなかったとき前記他の通信装置が通知してきた前記発信先電話番号を前記自装置電話番号格納手段に格納する自装置電話番号の候補として表示する自装置電話番号候補表示手段と、
この自装置電話番号候補表示手段の表示した自装置電話番号の候補を自装置電話番号として承認する可否の入力を受け付ける自装置電話番号承認可否受付手段と、
この自装置電話番号承認可否受付手段が承認を受け付けたとき前記発信先電話番号を前記自装置電話番号格納手段に自装置識別用電話番号として上書きする自装置識別用電話番号上書き手段
とを具備することを特徴とする通信装置。
【０１０１】
（付記３）
自装置の電話番号を自装置識別用電話番号として格納する自装置電話番号格納手段と、
他の通信装置からの着信を検知する着信検知手段と、
この着信検知手段が着信を検知したとき、前記他の通信装置に対して自装置に発信を行った際の発信先電話番号の送信を要求する発信先電話番号要求手段と、
この発信先電話番号要求手段の要求に応じて前記他の通信装置が発信先電話番号を通知してきたときこれを受信する発信先電話番号受信手段と、
この発信先電話番号受信手段の受信した発信先電話番号が前記自装置電話番号格納手段に格納されている自装置識別用電話番号と一致するか否かを判別する電話番号一致有無判別手段と、
この電話番号一致有無判別手段が電話番号の一致を判別しなかったとき前記他の通信装置が通知してきた前記発信先電話番号を前記自装置電話番号格納手段に自装置識別用電話番号として上書きする自装置識別用電話番号上書き手段
とを具備することを特徴とする通信装置。
【０１０２】
（付記４）
前記着信検知手段が着信を検知したとき前記他の通信装置に対して前記発信先電話番号要求手段による発信先電話番号の送信を要求するか否かを自動確認ビットの設定の有無に応じて判断する発信先電話番号要求有無判断手段を具備することを特徴とする付記１〜３いずれかに記載の通信装置。
【０１０３】
（付記５）
前記他の通信装置から原稿をラインごとに走査して得られた画像データを符号化したファクシミリ信号を受信するファクシミリ信号受信手段と、このファクシミリ信号受信手段の受信したファクシミリ信号を復号して元の原稿の画像を再現する原稿画像再生手段とを更に具備することを特徴とする付記１〜３いずれかに記載の通信装置。
【０１０４】
（付記６）
前記発信先電話番号要求手段による前記他の通信装置に対する前記発信先電話番号の要求およびこの要求に対する前記他の通信装置による発信先電話番号の通知はファクシミリ通信の送受信装置間で定めた特別の信号としてオプションで実行されることを特徴とする付記５記載の通信装置。
【０１０５】
（付記７）
発信先の通信装置の電話番号を発信先電話番号として格納する発信先電話番号格納手段と、前記発信先の通信装置に前記発信先電話番号を使用して発呼する発信手段と、この発信手段の発信によって着信した前記発信先の通信装置から前記発信先電話番号の通知が要求されたとき前記発信先電話番号格納手段からこれを読み出してこれを送信する発信先電話番号送信手段とを備えた発信側通信装置と、
自装置の電話番号を自装置識別用電話番号として格納する自装置電話番号格納手段と、前記発信側通信装置からの着信を検知する着信検知手段と、この着信検知手段が着信を検知したとき、前記発信側通信装置に対して自装置に発信を行った際の前記発信先電話番号の送信を要求する発信先電話番号要求手段と、この発信先電話番号要求手段の要求に応じて前記発信側通信装置が前記発信先電話番号を通知してきたときこれを受信する発信先電話番号受信手段と、この発信先電話番号受信手段の受信した前記発信先電話番号が前記自装置電話番号格納手段に格納されている自装置識別用電話番号と一致するか否かを判別する電話番号一致有無判別手段と、この電話番号一致有無判別手段が電話番号の一致を判別しなかったとき前記自装置電話番号格納手段に格納されている自装置識別用電話番号の正否の確認を要求する電話番号確認要求手段とを備えた受信側通信装置
とを具備することを特徴とする通信システム。
【０１０６】
（付記８）
発信先の通信装置の電話番号を発信先電話番号として格納する発信先電話番号格納手段と、前記発信先の通信装置に前記発信先電話番号を使用して発呼する発信手段と、この発信手段の発信によって着信した前記発信先の通信装置から前記発信先電話番号の通知が要求されたとき前記発信先電話番号格納手段からこれを読み出してこれを送信する発信先電話番号送信手段とを備えた発信側通信装置と、
自装置の電話番号を自装置識別用電話番号として格納する自装置電話番号格納手段と、前記発信側通信装置からの着信を検知する着信検知手段と、この着信検知手段が着信を検知したとき、前記発信側通信装置に対して自装置に発信を行った際の前記発信先電話番号の送信を要求する発信先電話番号要求手段と、この発信先電話番号要求手段の要求に応じて前記発信側通信装置が前記発信先電話番号を通知してきたときこれを受信する発信先電話番号受信手段と、この発信先電話番号受信手段の受信した前記発信先電話番号が前記自装置電話番号格納手段に格納されている自装置識別用電話番号と一致するか否かを判別する電話番号一致有無判別手段と、この電話番号一致有無判別手段が電話番号の一致を判別しなかったとき前記発信側通信装置が通知してきた前記発信先電話番号を前記自装置電話番号格納手段に格納する自装置電話番号の候補として表示する自装置電話番号候補表示手段と、この自装置電話番号候補表示手段の表示した自装置電話番号の候補を自装置電話番号として承認する可否の入力を受け付ける自装置電話番号承認可否受付手段と、この自装置電話番号承認可否受付手段が承認を受け付けたとき前記発信先電話番号を前記自装置電話番号格納手段に自装置識別用電話番号として上書きする自装置識別用電話番号上書き手段とを備えた受信側通信装置
とを具備することを特徴とする通信システム。
【０１０７】
（付記９）
他の通信装置からの着信を検知する着信検知ステップと、
この着信検知ステップで着信を検知したとき、前記他の通信装置に対して自装置に発信を行った際の発信先電話番号の送信を要求する発信先電話番号要求ステップと、
この発信先電話番号要求ステップでの要求に応じて前記他の通信装置が発信先電話番号を通知してきたときこれを受信する発信先電話番号受信ステップと、
この発信先電話番号受信ステップで受信した発信先電話番号が、自装置の電話番号を自装置識別用電話番号として所定の自装置電話番号格納手段に予め格納する自装置識別用電話番号と一致するか否かを判別する電話番号一致有無判別ステップと、
この電話番号一致有無判別ステップで電話番号の一致を判別しなかったとき前記自装置電話番号格納手段に格納している自装置識別用電話番号の正否の確認の入力を待機する電話番号確認入力待機ステップと、
この電話番号確認入力待機ステップで自装置識別用電話番号が正しくないと判別したとき正しい自装置識別用電話番号の入力をその登録のために受け付ける自装置識別用電話番号受付ステップ
とを具備することを特徴とする自端末識別情報登録方法。
【０１０８】
（付記１０）
他の通信装置からの着信を検知する着信検知ステップと、
この着信検知ステップで着信を検知したとき、前記他の通信装置に対して自装置に発信を行った際の発信先電話番号の送信を要求する発信先電話番号要求ステップと、
この発信先電話番号要求ステップでの要求に応じて前記他の通信装置が発信先電話番号を通知してきたときこれを受信する発信先電話番号受信ステップと、
この発信先電話番号受信ステップで受信した発信先電話番号が、自装置の電話番号を自装置識別用電話番号として所定の自装置電話番号格納手段に予め格納する自装置識別用電話番号と一致するか否かを判別する電話番号一致有無判別ステップと、
この電話番号一致有無判別ステップで電話番号の一致を判別しなかったとき前記他の通信装置が通知してきた前記発信先電話番号を前記自装置電話番号格納手段に格納する自装置電話番号の候補として表示する自装置電話番号候補表示ステップと、
この自装置電話番号候補表示ステップで表示した自装置電話番号の候補を自装置電話番号として承認する可否の入力を受け付ける自装置電話番号承認可否受付ステップと、
この自装置電話番号承認可否受付ステップで承認を受け付けたとき前記発信先電話番号を前記自装置電話番号格納手段に自装置識別用電話番号として上書きして登録する自装置識別用電話番号登録ステップ
とを具備することを特徴とする自端末識別情報登録方法。
【０１０９】
（付記１１）
他の通信装置からの着信を検知する着信検知ステップと、
この着信検知ステップで着信を検知したとき、前記他の通信装置に対して自装置に発信を行った際の発信先電話番号の送信を要求する発信先電話番号要求ステップと、
この発信先電話番号要求ステップでの要求に応じて前記他の通信装置が発信先電話番号を通知してきたときこれを受信する発信先電話番号受信ステップと、
この発信先電話番号受信ステップで受信した発信先電話番号が、自装置の電話番号を自装置識別用電話番号として所定の自装置電話番号格納手段に予め格納する自装置識別用電話番号と一致するか否かを判別する電話番号一致有無判別ステップと、
この電話番号一致有無判別ステップで電話番号の一致を判別しなかったとき前記他の通信装置が通知してきた前記発信先電話番号を前記自装置電話番号格納手段に自装置識別用電話番号として上書きして登録する自装置識別用電話番号登録ステップ
とを具備することを特徴とする自端末識別情報登録方法。
【０１１０】
（付記１２）
コンピュータに、
他の通信装置からの着信を検知する着信検知処理と、
この着信検知処理で着信を検知したとき、前記他の通信装置に対して自装置に発信を行った際の発信先電話番号の送信を要求する発信先電話番号要求処理と、
この発信先電話番号要求処理での要求に応じて前記他の通信装置が発信先電話番号を通知してきたときこれを受信する発信先電話番号受信処理と、
この発信先電話番号受信処理で受信した発信先電話番号が、自装置の電話番号を自装置識別用電話番号として所定の自装置電話番号格納手段に予め格納する自装置識別用電話番号と一致するか否かを判別する電話番号一致有無判別処理と、
この電話番号一致有無判別処理で電話番号の一致を判別しなかったとき前記自装置電話番号格納手段に格納している自装置識別用電話番号の正否の確認の入力を待機する電話番号確認入力待機処理と、
この電話番号確認入力待機処理で自装置識別用電話番号が正しくないと判別したとき正しい自装置識別用電話番号の入力をその登録のために受け付ける自装置識別用電話番号受付処理
とを実行させることを特徴とする自端末識別情報登録プログラム。
【０１１１】
（付記１３）
コンピュータに、
他の通信装置からの着信を検知する着信検知処理と、
この着信検知処理で着信を検知したとき、前記他の通信装置に対して自装置に発信を行った際の発信先電話番号の送信を要求する発信先電話番号要求処理と、
この発信先電話番号要求処理での要求に応じて前記他の通信装置が発信先電話番号を通知してきたときこれを受信する発信先電話番号受信処理と、
この発信先電話番号受信処理で受信した発信先電話番号が、自装置の電話番号を自装置識別用電話番号として所定の自装置電話番号格納手段に予め格納する自装置識別用電話番号と一致するか否かを判別する電話番号一致有無判別処理と、
この電話番号一致有無判別処理で電話番号の一致を判別しなかったとき前記他の通信装置が通知してきた前記発信先電話番号を前記自装置電話番号格納手段に格納する自装置電話番号の候補として表示する自装置電話番号候補表示処理と、
この自装置電話番号候補表示処理で表示した自装置電話番号の候補を自装置電話番号として承認する可否の入力を受け付ける自装置電話番号承認可否受付処理と、
この自装置電話番号承認可否受付処理で承認を受け付けたとき前記発信先電話番号を前記自装置電話番号格納手段に自装置識別用電話番号として上書きして登録する自装置識別用電話番号登録処理
とを実行させることを特徴とする自端末識別情報登録プログラム。
【０１１２】
（付記１４）
コンピュータに、
他の通信装置からの着信を検知する着信検知処理と、
この着信検知処理で着信を検知したとき、前記他の通信装置に対して自装置に発信を行った際の発信先電話番号の送信を要求する発信先電話番号要求処理と、
この発信先電話番号要求処理での要求に応じて前記他の通信装置が発信先電話番号を通知してきたときこれを受信する発信先電話番号受信処理と、
この発信先電話番号受信処理で受信した発信先電話番号が、自装置の電話番号を自装置識別用電話番号として所定の自装置電話番号格納手段に予め格納する自装置識別用電話番号と一致するか否かを判別する電話番号一致有無判別処理と、
この電話番号一致有無判別処理で電話番号の一致を判別しなかったとき前記自装置電話番号格納手段に格納している自装置識別用電話番号の正否の確認の入力を待機する電話番号確認入力待機処理と、
この電話番号確認入力待機処理で自装置識別用電話番号が正しくないと判別したとき正しい自装置識別用電話番号の入力をその登録のために受け付ける自装置識別用電話番号受付処理
とを実行させることを特徴とする自端末識別情報登録プログラム。
【符号の説明】
【０１１３】
１００  自端末識別情報登録システム
１０１  第１のファクシミリ装置
１０２  第２のファクシミリ装置
１０３  公衆交換電話網
１１１  システム制御部
１１３  通信制御部
１１４  ＲＯＭ
１１５  ＲＡＭ
１１６  モデム
１１７  ＮＣＵ
１１８  自装置識別情報記憶部
１１９  表示部
１２０  自動確認モードビット格納部
１２１  操作部
１１００、１２００、１３００  通信装置
１１０１、１２０１、１３０１、１４０２ａ、１５０２ａ  自装置電話番号格納手段
１１０２、１２０２、１３０２、１４０２ｂ、１５０２ｂ  着信検知手段
１１０３、１２０３、１３０３、１４０２ｃ、１５０２ｃ  発信先電話番号要求手段
１１０４、１２０４、１３０４、１４０２ｄ、１５０２ｄ  発信先電話番号受信手段
１１０５、１２０５、１３０５、１４０２ｅ、１５０２ｅ  電話番号一致有無判別手段
１１０６、１４０２ｆ  電話番号確認要求手段
１２０６、１５０２ｆ  自装置電話番号候補表示手段
１２０７、１５０２ｇ  自装置電話番号承認可否受付手段
１２０８、１３０６、１５０２ｈ  自装置識別用電話番号上書き手段
１４００、１５００  通信システム
１４０１、１５０１  発信側通信装置
１４０１ａ、１５０１ａ  発信先電話番号格納手段
１４０１ｂ、１５０１ｂ  発信手段
１４０１ｃ、１５０１ｃ  発信先電話番号送信手段
１４０２、１５０２  受信側通信装置
１６００、１７００、１８００  自端末識別情報登録方法
１６０１、１７０１、１８０１  着信検知ステップ
１６０２、１７０２、１８０２  発信先電話番号要求ステップ
１６０３、１７０３、１８０３  発信先電話番号受信ステップ
１６０４、１７０４、１８０４  電話番号一致有無判別ステップ
１６０５  電話番号確認入力待機ステップ
１６０６  自装置識別用電話番号受付ステップ
１７０５  自装置電話番号候補表示ステップ
１７０６  自装置電話番号承認可否受付ステップ
１７０７、１８０５  自装置識別用電話番号登録ステップ
１９００、２０００  自端末識別情報登録プログラム
１９０１、２００１  着信検知処理
１９０２、２００２  発信先電話番号要求処理
１９０３、２００３  発信先電話番号受信処理
１９０４、２００４  電話番号一致有無判別処理
１９０５  電話番号確認入力待機処理
１９０６  自装置識別用電話番号受付処理
２００５  自装置電話番号候補表示処理
２００６  自装置電話番号承認可否受付処理
２００７  自装置識別用電話番号登録処理
【図１】
0005863511.tif 000002
【図２】
0005863511.tif 000003
【図３】
0005863511.tif 000004
【図４】
0005863511.tif 000005
【図５】
0005863511.tif 000006
【図６】
0005863511.tif 000007
【図７】
0005863511.tif 000008
【図８】
0005863511.tif 000009
【図９】
0005863511.tif 000010
【図１０】
0005863511.tif 000011
【図１１】
0005863511.tif 000012
【図１２】
0005863511.tif 000013
【図１３】
0005863511.tif 000014
【図１４】
0005863511.tif 000015
【図１５】
0005863511.tif 000016